(57)【要約】
【課題】組立、収納が、ほぼワンタッチで行えるとともに、収納にスペ−スをとらない儀式用飾り台の提供
【解決手段】この考案の儀式用飾り台は、供物台を支持するためのストッパ−１，１を取り付けた前脚２，２の下部に、装飾台４の裏面の前部に刻設した切込み５，５を嵌着させ、装飾台４を支持する横木６を固定し、前脚２，２の背面に、上端を適宜角度θだけ傾斜した切口７を有しする後脚９，９を、前記傾斜側を、前脚２，２の背面に対峙させ、回動可能に取り付け、前脚２，２の横木６の位置とほぼ同じ高さに位置する後脚９，９に、装飾台４の後端部を回動可能に取り付けている。
【選択図】 図５
0003101405.tif 000002
【実用新案登録請求の範囲】
【請求項１】
前面に、供物台を支持するためのストッパ−を着脱自在に取り付けた前脚の上端部に横支材を固定し、下部に装飾台の裏面の前部に刻設した切込みを嵌着させ、該装飾台を支持する横木を固定し、前記前脚の背面の所定の位置に、上端を適宜角度だけ傾斜した切口を有し、下端部に補強用の横支材を固定した後脚を、前記傾斜側を、前記前脚の背面に対峙させ、回動可能に取り付け、前記前脚の横木の位置とほぼ同じ高さに位置する該後脚に、前記装飾台の後端部を回動可能に取り付けていることを特徴とする儀式用飾り台
【考案の詳細な説明】
【技術分野】
【０００１】
この考案は儀式用飾り台に関するものである。
【背景技術】
【０００２】
儀式用飾り台としては、複数個の部材を取扱説明書の手順にしたがって順次組み立てていくという構成のものが殆どであり、次のような問題点があった。
（１）組立が面倒である。
（２）解体収納が面倒である。
（３）部材を紛失し易く、一個でも部材を紛失した場合には、組立ができない。
（４）収納時には、必ず取扱説明書と一緒に、各部材を収納しなければならないので、面倒である。
（５）部材の数によっては、収納にスペ−スをとる。
【０００３】
【特許文献１】実開平６−７９７１６号公報
【特許文献１】実開平６−２５３２４号公報
【考案の開示】
【考案が解決しようとする課題】
【０００４】
この考案は、背景技術で記述した問題点を解消するためになされたもので、組立、収納が、ほぼワンタッチで行えるとともに、収納にスペ−スをとらない儀式用飾り台の提供を目的とするものである。
【課題を解決するための手段】
【０００５】
この考案の儀式用飾り台は、真ん中付近の前面に、供物台を支持するためのストッパ−を着脱自在に取り付けた前脚の上端部に横支材を固定し、下部に装飾台の裏面の前部に刻設した切込みを嵌着させ、該装飾台を支持する横木を固定し、前記前脚の背面の所定の位置に、上端を適宜角度だけ傾斜した切口を有し、下端部に補強用の横支材を固定した後脚を、前記傾斜側を、前記前脚の背面に対峙させ、回動可能に取り付け、前記前脚の横木の位置とほぼ同じ高さに位置する該後脚に、前記装飾台の後端部を回動可能に取り付けていることを特徴とするものである。
【考案の効果】
【０００６】
この考案は上述のように構成されているので、次のような効果を呈する。
（１）儀式用飾り台を構成する各部材が、所定の機能を果たすように、予め連結されているので、組立時に、各部材を連結させる手間を省ける。
（２）収納時には、各部材を分離して、解体する手間を省ける。
（３）各部材の紛失のおそれがない。
（４）前脚の上端の横支材を持ち上げるという簡単な操作で、ほぼワンタッチで組立、収納ができる。
（５）収納時には、一枚の板状にして収納できるので、収納にスペ−スをとらない。
（６）組立・収納の手順は全て製品に盛り込まれているので、取扱説明書を読む手間が省ける。
【考案を実施するための最良の形態】
【０００７】
組立、収納をほぼワンタッチで行うという目的を、儀式用飾り台を構成する各部材を所定の機能を果たすように、予め連結することによって実現できた。
【実施例】
【０００８】
この考案の実施の形態の一例を図面を参照しながら説明するに、前脚２，２は、図１に示すように、真ん中付近の前面に、供物台Ａを支持するためのストッパ−１，１を着脱自在に取り付け、上端部に横支材３を固定し、下部に、例えば、図２に示すような装飾台４の裏面の前部に刻設した切込み５，５を嵌着させ、装飾台４を支持する横木６を固定している。
【０００９】
本例では、真線状の前脚２，２を図示したが、これに限定されるものではなく、飾りとしての見栄えをよくするために、適宜に湾曲させ、ソリを持たせてもよい。
【００１０】
また、ストッパ−１，１は、例えば、棒状体であり、前脚２，２に穿設した穴に着脱自在に装着できるようになっており、取付位置については、供物台Ａ（図５において点線で示している。）の大きさ及び形状などに応じて適宜変更できる。
【００１１】
後脚９，９は、図３に示すように、下端部に補強用の横支材８を固定し、上端を適宜角度θだけ傾斜した切口７を設け、図４（ａ）に示すように、前脚２，２の背面の所定の位置に、傾斜した切り口７を、前脚２，２の背面に対峙させ、例えば、蝶番ａによって、前脚２，２の背面に回動可能に取り付けている。
【００１２】
したがって、後脚２，２を開くと、図５に示すように、切り口７の傾斜角度θだけ開くことができるようになっている。開き度合いを大きくしたい場合には、切口７の傾斜角度θを大きくすればよい。
【００１３】
前脚２，２の横木６の位置とほぼ同じ高さに位置する後脚９，９に、装飾台４の後端部を回動可能に取り付けている。したがって、装飾台４の裏面の前部に刻設した切込み５，５を前脚２，２の横木６に嵌着させると、装飾台４は水平になるようになっている。
【００１４】
なお、前脚２，２及び後脚９，９，に補強用として、複数個の横支材を追加して固定することは自由である。
【００１５】
なお、図３において、１０は、装飾台４のストッパ−で、使用時には点線で示したように起こし、装飾台４が、図３において、手前側に倒れないようにしている。
【００１６】
なお、図５において点線で示した供物台Ａとしては、盛り篭、周囲を花輪で囲んだ盛り篭、周囲を光ファイバを使用した電飾花で飾った盛り篭等であり、特に限定はなく、形状についても特に限定はない。
【００１７】
また、材質につても、特に限定はないが、軽量化のために、桐材を適用すると軽量に仕上げることができ、扱いやすく、便利である。
【００１８】
実施に際しては、図４に示すように、板状に収納されている本願の儀式用飾り台を取り出し、前脚２，２の横支材３をやや斜め前方に持ち上げると、図５に示すように、後脚９，９が自動的に開くので、ついで装飾台４を前方へ軽く押し倒すと、装飾台４は前方に回動し、裏面の前部に刻設した切込み５，５が前脚２，２の横木６に嵌着し、組立作業を一瞬のうちに終了することができる。
【００１９】
収納する際には、前脚２，２の横木６に嵌着している装飾台４の裏面の前部に刻設した切込み５，５を、前脚２，２の横木６から外し、前脚２，２の横支材３をやや斜め後方に持ち上げると、後脚９，９が自動的に閉じ、ついで装飾台４を後方に倒すと、図４に示すように、板状になり、収納作業は一瞬のうちに終了する。
【産業上の利用可能性】
【００２０】
この考案は上述のように構成されているので、イ−ゼルスタンドや花瓶置等にも利用が可能である。
【図面の簡単な説明】
【００２１】
【図１】考案の一実施例を示す正面図
【図２】装飾台の一例を示す斜視図
【図３】後脚の一実施例を示す斜視図
【図４】（ａ）板状に収納した状態を示す側面図，（ｂ）同正面図
【図５】図１における側面図
【符号の説明】
【００２２】
１ 供物台のストッパ−
２ 前脚
３ 横支材
４ 装飾台
５ 装飾台の裏面の前部に刻設した切込み
６ 横木
７ 傾斜した切口
８ 補強用の横支材
９ 後脚
１０ 装飾台のストッパ−
Ａ 供物台
ａ 蝶番
θ 切り口の傾斜角度
【図１】
0003101405.tif 000003
【図２】
0003101405.tif 000004
【図３】
0003101405.tif 000005
【図４】
0003101405.tif 000006
【図５】
0003101405.tif 000007